(57)【要約】  ウェアラブルデバイスは、識別情報を記憶するメモリを有する無線周波数識別（ＲＦＩＤ）タグを含む。ウェアラブルデバイスはまた、電磁放射線からの電力を利用するように構成されたパワーハーベスティング回路を有する。更に、ウェアラブルデバイスは、パワーハーベスティング回路に結合されて、電力を利用してウェアラブルデバイスの状態を監視するように構成されたセンサを有する。更にまた、ウェアラブルデバイスは、センサに結合されて、状態を示すデータをＲＦＩＤタグのメモリに書き込むように構成されたマイクロコントローラを有し、ＲＦＩＤタグは、ＲＦＩＤリーダからの電磁放射線の受信に応答して識別情報とデータを送信するように構成される。【選択図】図１
2021510893.tif 000002
【特許請求の範囲】
【請求項１】
ウェアラブルデバイスであって、
識別情報を記憶するメモリを備える無線周波数識別（ＲＦＩＤ）タグと、
電磁放射線からの電力を利用するように構成されたパワーハーベスティング回路と、
前記パワーハーベスティング回路に結合され、前記電力を利用して前記ウェアラブルデバイスの状態を監視するように構成されたセンサと、
前記センサに結合されて、前記状態を示すデータを前記ＲＦＩＤタグの前記メモリに書き込むように構成されたマイクロコントローラであって、前記ＲＦＩＤタグは、ＲＦＩＤリーダからの前記電磁放射線の受信に応答して前記識別情報及び前記データを送信するように構成される、マイクロコントローラと、
を含む、ウェアラブルデバイス。
【請求項２】
前記ウェアラブルデバイスは、電力を蓄積するように構成されたエネルギー蓄積デバイスを含む、請求項１に記載のデバイス。
【請求項３】
前記センサは、少なくとも加速度計、ジャイロメータ、圧力センサ、音響センサ、又は光センサを含む、請求項１に記載のデバイス。
【請求項４】
前記ウェアラブルデバイスの監視される状態は、前記ウェアラブルデバイスの位置を含む、請求項１に記載のデバイス。
【請求項５】
外部光検出器による前記ウェアラブルデバイスの検出を容易にするように構成された１又は２以上のＬＥＤを含み、前記マイクロコントローラは、前記ＲＦＩＤリーダからの前記電磁放射線の受信に応答して前記１又は２以上のＬＥＤのうちの少なくとも１つを点灯させるための制御信号を発生させるように構成される、請求項１に記載のデバイス。
【請求項６】
前記制御信号は、前記１又は２以上のＬＥＤのうちの少なくとも１つを所定の割合で断続的に発光させるように構成される、請求項５に記載のデバイス。
【請求項７】
システムであって、
無線周波数識別（ＲＦＩＤ）タグを備えるウェアラブルデバイスであって、該ＲＦＩＤタグは識別情報を記憶するメモリを備え、該ＲＦＩＤタグはＲＦＩＤリーダからの電磁放射線の受信に応答して該ＲＦＩＤリーダに該識別情報を送信するように構成される、ウェアラブルデバイスと、
前記ウェアラブルデバイスによって支持され、前記ウェアラブルデバイスの位置の追跡を容易にするように構成された追跡デバイスと、
前記ウェアラブルデバイスによって支持され、前記受信した電磁放射線からの電力を利用するように構成されたパワーハーベスティング回路であって、該利用される電力は、前記識別情報を送信するため及び前記追跡デバイスを動作させるために利用される、パワーハーベスティング回路と、
前記ＲＦＩＤリーダからの前記識別情報と、前記ウェアラブルデバイスの位置を示す信号とを受信するように構成されたプロセッサであって、前記受信した識別情報と前記受信した信号とに基づいて、前記ウェアラブルデバイスとアトラクションの要素との間の対話を検出するように構成されたプロセッサと、
を含む、システム。
【請求項８】
前記追跡デバイスは、光を発するように構成された１又は２以上の発光ダイオード（ＬＥＤ）を含む、請求項７に記載のシステム。
【請求項９】
前記ウェアラブルデバイスによって支持され、前記ＲＦＩＤタグにおける前記電磁放射線の受信に応答して前記１又は２以上のＬＥＤのうちの少なくとも１つを点灯させるための制御信号を発生させるように構成されたマイクロコントローラと、
前記プロセッサに結合され、前記１又は２以上のＬＥＤによって発せられた光を検出するように構成され、及び前記ウェアラブルデバイスの位置を示す信号を発生させるように構成された検出器と、
を含む、請求項８に記載のシステム。
【請求項１０】
前記発生した制御信号は、前記１又は２以上のＬＥＤのうちの前記少なくとも１つを所定の割合で断続的に発光させるように構成される、請求項９に記載のシステム。
【請求項１１】
前記受信した信号は、前記１又は２以上のＬＥＤのうちの前記少なくとも１つによって発せられる光の１又は２以上の特性を示し、前記プロセッサは、該１又は２以上の特性に基づいて前記ウェアラブルデバイスを別のウェアラブルデバイスと区別するように構成される、請求項９に記載のシステム。
【請求項１２】
前記１又は２以上の特性は、色、割合、パターン、又はこれらの何れかの組み合わせを含む、請求項１１に記載のシステム。
【請求項１３】
前記ウェアラブルデバイスによって支持され、前記追跡デバイスと対話して前記ウェアラブルデバイスの位置を示すデータを前記ＲＦＩＤタグの前記メモリに書き込むように構成されたマイクロコントローラを含み、前記ＲＦＩＤタグは、前記ＲＦＩＤリーダからの前記電磁放射線の受信に応答して、前記ウェアラブルデバイスの位置を示す信号を前記メモリから前記ＲＦＩＤリーダに送信するように構成される、請求項７に記載のシステム。
【請求項１４】
前記追跡デバイスは、加速度計、ジャイロメータ、圧力センサ、音響センサ、又は光センサを少なくとも含む、請求項１３に記載のシステム。
【請求項１５】
前記プロセッサは、前記ウェアラブルデバイスと前記アトラクションの要素との間の前記対話の検出に基づいて前記アトラクションの前記要素を調節するように構成される、請求項７に記載のシステム。
【請求項１６】
無線周波数識別（ＲＦＩＤ）リーダから電磁放射線を送信するステップと、
ウェアラブルデバイスのパワーハーベスティング回路を用いて前記電磁放射線から電力を取り出すステップと、
前記ウェアラブルデバイスによって支持されたセンサを動作させて前記ウェアラブルデバイスの位置を監視するために前記取り出された電力を利用するステップと、
前記ウェアラブルデバイスによって支持されたマイクロコントローラを動作させて前記監視される位置を示すデータを前記ウェアラブルデバイスによって支持されたＲＦＩＤタグのメモリに書き込むために前記取り出された電力を利用するステップと、
前記ＲＦＩＤリーダからの前記電磁放射線の受信に応答して、識別情報及び前記データを前記ＲＦＩＤタグのメモリから前記ＲＦＩＤリーダに送信するステップと、
含む、方法。
【請求項１７】
プロセッサを用いて、前記送信された識別情報及び前記送信されたデータに基づいてゲストがアトラクションの要素と対話したことを決定するステップを含む、請求項１６に記載の方法。
【請求項１８】
前記プロセッサを用いて、前記ゲストが前記要素と対話したことの決定に基づいて前記アトラクションの前記要素を調節するステップを含む、請求項１７に記載の方法。
【請求項１９】
前記センサは、加速度計、ジャイロメータ、圧力センサ、音響センサ、又は光センサを少なくとも含む、請求項１６に記載の方法。
【請求項２０】
前記マイクロコントローラを介して、前記ＲＦＩＤリーダからの前記電磁放射線の受信に応答して、外部光検出器による前記ウェアラブルデバイスの検出を容易にするために前記ウェアラブルデバイスによって支持された１又は２以上の発光ダイオード（ＬＥＤ）を点灯させるための制御信号を発生させるステップを含む、請求項１６に記載の方法。
【発明の詳細な説明】
【技術分野】
【０００１】
本開示は、一般的に対話型システム及び方法に関する。より具体的には、本開示の実施形態は、ウェアラブルデバイスを利用して遊園地におけるゲストの対話を追跡する対話型システム及び方法に関する。
【０００２】
（関連出願への相互参照）
本出願は、２０１８年１月１５日に出願された「ＩＮＴＥＲＡＣＴＩＶＥ  ＳＹＳＴＥＭＳ  ＡＮＤ  ＭＥＴＨＯＤＳ  ＷＩＴＨ  ＴＲＡＣＫＩＮＧ  ＤＥＶＩＣＥＳ（追跡デバイスを用いた対話型システム及び方法）」という名称の米国仮出願第６２／６１７，５１０号からの優先権及びその利益を主張し、当該仮出願は、あらゆる目的で引用により全体が本明細書に組み込まれる。
【背景技術】
【０００３】
遊園地及び／又はテーマパークは、様々な娯楽アトラクションを含む場合がある。幾つかの既存のアトラクションは、ゲストに没入体験又は対話体験を提供することができる。例えば、ゲストは、オーディオ、ビデオ、及び特殊効果等の様々な特徴を有する区域を訪れることができる。最新のアトラクションの高まりつつある高度化及び複雑さ、並びに遊園地及び／又はテーマパークのゲストの間でこれに伴って起きる期待の高まりを受けて、より対話的で個人化された体験を提供するアトラクションを含む、改善されたより創造的なアトラクションが必要とされている。
【先行技術文献】
【特許文献】
【０００４】
【特許文献１】米国仮出願第６２／６１７，５１０号明細書
【発明の概要】
【課題を解決するための手段】
【０００５】
最初に請求項に記載された本発明の範囲内にある特定の実施形態について以下で要約する。これらの実施形態は、本開示の範囲を限定することを意図したものではなく、本開示のある特定の実施形態の概要を提供することを単に意図したものである。実際に、本開示は、以下で記載される実施形態と同様又は異なるものとすることができる様々な形態を包含することができる。
【０００６】
１つの実施形態において、ウェアラブルデバイスは、識別情報を記憶するメモリを有する無線周波数識別(radio-frequency identification)（ＲＦＩＤ）タグを含む。ウェアラブルデバイスはまた、電磁放射線(electromagnetic radiation)からの電力を利用する(harness)ように構成されたパワーハーベスティング回路(power harvesting circuit)を含む。更に、ウェアラブルデバイスは、パワーハーベスティング回路に結合され、この電力を利用して(utilize)ウェアラブルデバイスの状態を監視するように構成されたセンサを含む。更にまた、ウェアラブルデバイスは、センサに結合されて、状態を示すデータをＲＦＩＤタグのメモリに書き込むように構成されたマイクロコントローラを含み、ＲＦＩＤタグは、ＲＦＩＤリーダからの電磁放射線の受信に応答して識別情報及びデータを送信するように構成される。
【０００７】
１つの実施形態において、システムは、無線周波数識別（ＲＦＩＤ）タグを有するウェアラブルデバイスを含む。ＲＦＩＤタグは、識別情報を記憶するメモリを有し、またＲＦＩＤタグは、ＲＦＩＤリーダからの電磁放射線の受信に応答して、ＲＦＩＤリーダに識別情報を送信するように構成される。更に、ウェアラブルデバイスは、ウェアラブルデバイスによって支持されて該ウェアラブルデバイスの位置を追跡するのを容易にするように構成された追跡デバイス(tracking device)を含む。更にまた、ウェアラブルデバイスは、ウェアラブルデバイスによって支持されて、受信電磁放射線からの電力を利用するように構成されたパワーハーベスティング回路を含み、利用される電力は、識別情報を送信するため、及び追跡デバイスを動作させるのに利用される。更にまた、システムは、ＲＦＩＤリーダからの識別情報と、ウェアラブルデバイスの位置を示す信号とを受信するように構成されたプロセッサを含み、該プロセッサは、受信した識別情報及び受信した信号に基づいてウェアラブルデバイスとアトラクションの要素との間の対話(interaction)を検出するように構成される。
【０００８】
１つの実施形態において、方法は、無線周波数識別（ＲＦＩＤ）リーダから電磁放射線を送信するステップを含む。更に方法は、ウェアラブルデバイスのパワーハーベスティング回路を用いて電磁放射線から電力を取り出すステップを含む。更に方法は、取り出された電力を利用してウェアラブルデバイスによって支持されたセンサを動作させ、ウェアラブルデバイスの位置を監視するようにするステップを含む。更にまた、方法は、取り出された電力を利用して、ウェアラブルデバイスによって支持されたマイクロコントローラを動作させ、ウェアラブルデバイスによって支持されたＲＦＩＤタグのメモリに監視位置を示すデータを書き込むステップを含む。次いで、方法は、ＲＦＩＤリーダからの電磁放射線の受信に応答して識別情報とＲＦＩＤタグのメモリからのデータをＲＦＩＤリーダに送信するステップを含む。
【０００９】
本開示のこれら及び他の特徴、態様、及び利点は、図面全体を通じて同様の参照符号が同様の要素を示す添付図面を参照しながら以下の詳細な説明を読むと更に理解できるであろう。
【図面の簡単な説明】
【００１０】
【図１】本開示の１つの実施形態による対話型システムの概略図である。
【図２】本開示の１つの実施形態による、図１の対話型システムで用いることができるリーダシステムと複数のウェアラブルデバイスとの間の通信を示す図である。
【図３】本開示の１つの実施形態による、図１の対話型システムで用いることができる、リーダシステムと１つのターゲット付近の複数のウェアラブルデバイスとの間の通信を示す図である。
【図４】本開示の１つの実施形態による、図１の対話型システムで用いることができる、リーダシステムとセンサを有する複数のウェアラブルデバイスとの間の通信を示す図である。
【図５】本開示の１つの実施形態による、図１の対話型システムで用いることができるセンサを有するウェアラブルデバイスを動作させる方法のフロー線図である。
【図６】本開示の１つの実施形態による、図１の対話型システムで用いることができる発光体を有するウェアラブルデバイスを動作させる方法のフロー線図である。
【発明を実施するための形態】
【００１１】
本開示の１又は２以上の特定の実施形態について、以下で説明する。これらの実施形態の簡潔な説明を提供する目的で、本明細書では実際の実施構成の特徴の全てを説明するとは限らない場合がある。このような何れかの実際の実施構成の開発において、何らかの工学プロジェクト又は設計プロジェクトと同様に、開発者の特定の目標を達成するためには、実施構成毎に異なる可能性があるシステム関連及び事業に関連する制約条件への準拠等、数多くの実施構成特有の判断を行わなければならない点を理解されたい。更に、かかる開発の取り組みは、複雑で時間を要する可能性があるが、それにも関わらず、本開示の利益を有する当業者にとっては設計、加工及び製造の日常的な業務であることを理解されたい。
【００１２】
遊園地は、遊園地乗り物、上演ショー、及びゲーム等の多種多様な娯楽を特徴として備える。様々な種類の娯楽は、遊園地におけるゲスト(guest)の体験を高める特徴を含むことができる。例えば、アトラクションは、表示画面上に示される描画（レンダリング）画像とのゲストのタッチを検出するタッチスクリーンディスプレイを有するゲームを含むことができる。しかしながら、幾つかの対話型システム(interactive system)は、対話型要素(interactive element)（例えば、表示画面上に示される描画画像）とのゲストの対話（例えば対話型システムによる認識）の不十分な又は不確実な検出に起因して、最適以下の体験しか提供することができない。更に、対話型要素と対話したゲストの識別情報を対話型システムが決定し、従って、各ゲストに関する得点又は他のゲーム統計を正確且つ効率的に追跡することが望ましいことは理解される。
【００１３】
従って、本開示は、ウェアラブルデバイス（例えば、１又は２以上のゲストによって装着可能な）を利用して、対話型要素とのゲストの対話を追跡するシステム及び方法に関する。より具体的には、本開示は、１又は２以上の無線周波数識別（ＲＦＩＤ）リーダと、１又は２以上のＲＦＩＤタグ及び１又は２以上の追跡デバイス（例えば発光体及び／又はセンサ）を各々が有する複数のウェアラブルデバイスとを含む対話型システムに関する。追跡デバイスは、対話型要素とのゲストの対話を示す信号を発生させるように構成された１又は２以上の構成要素を含む追跡システムの一部とすることができる。１つの実施形態では、ウェアラブルデバイスのある特定の追跡デバイス（例えば、発光ダイオード（ＬＥＤ））はまた、アトラクションの対話型要素との成功した対話の視覚指標をウェアラブルデバイスを着用しているゲストに対して提供することができる。
【００１４】
下記で用いる場合、「ユーザ」という用語は、対話型システムのユーザを指すものとすることができ、遊園地では、ユーザはゲストとすることができる。例として、ユーザは、アトラクションを通って移動する時に１又は２以上の追跡デバイスを有するウェアラブルデバイスを着用又は携帯することができる。アトラクションは、様々な画像又は物体（例えば、表示画面上に提供される描画画像、仮想要素、又はグラフィック要素；物理的な物体又はターゲット；着ぐるみ）のうちの何れかとすることができる様々な対話型要素を有することができる。アトラクションを体験するために、ユーザは、例えば、物理的ターゲットにタッチすること又は着ぐるみに近づくこと等によって対話型要素と対話することができる。
【００１５】
１つの実施形態では、追跡デバイスは、ウェアラブルデバイスの状態（例えば位置又は移動）を示す信号を発生させるセンサ（例えば、加速度計等の運動センサ）とすることができる。ウェアラブルデバイスのマイクロコントローラは、センサに結合することができ、また、状態を示す（例えば信号に基づいて）データをウェアラブルデバイスのＲＦＩＤタグのメモリに書き込むことができる。下記でより詳細に検討するように、データは、ＲＦＩＤタグから、アトラクションの内部及び／又はある特定の対話型要素の付近に位置付けることができるＲＦＩＤリーダに転送することができる。ＲＦＩＤリーダに通信可能に結合されたコンピューティングシステムは、例えば、ユーザが特定の動き（例えば手を振ること又は手を突き出すこと）を実施したと決定する、及び／又は得点をユーザに割り当てるなど、データを処理することができる。
【００１６】
１つの実施形態では、追跡デバイスはＬＥＤとすることができ、ＬＥＤによって発せられた光は、コンピューティングシステムに通信可能に結合された検出器（例えば光検出器又はカメラ）によって検出することができる。コンピューティングシステムは、検出器から信号を受け取って処理し、例えば、ウェアラブルデバイスの位置を決定し、ユーザが特定の移動（例えば手を振ること又は手を突き出すこと）を実施したことを決定し、及び／又はユーザに得点を割り当てることができる。以下でより詳細に検討するように、アトラクション内の１又は２以上のＲＦＩＤリーダとウェアラブルデバイスのＲＦＩＤタグとの間の通信により、ＬＥＤを点灯させ(illuminate)、これによってフィードバックを提供して、１又は２以上のＲＦＩＤリーダとＲＦＩＤタグとの間の通信が発生したことをユーザに通知することができる。１又は２以上のＲＦＩＤリーダは、アトラクションの入口又は様々な対話型要素の付近に位置付けることができるので、ＬＥＤの点灯(illumination)はまた、例えば、対話型システムがアトラクション内でユーザを検出したこと、及び／又は対話型要素とのユーザの対話を検出したことをユーザに示すことができる。
【００１７】
従って、追跡デバイスは、対話型システムがユーザの移動（例えば、ターゲットにタッチするジェスチャー、踊るジェスチャー、手を振るジェスチャー、手を突き出すジェスチャー、又はその他の様々なジェスチャー）を追跡することを可能にすることができ、これによって、更にユーザがアトラクションを通って移動する時に対話型システムがユーザの進行状況（例えばゲーム統計）を追跡することを可能にすることができる。例えば、対話型システムは、ユーザが接触したターゲットの個数及び／又はユーザが出会った着ぐるみの個数を検出して経過を追跡することができる。
【００１８】
ここで各図面に移ると、図１は、リーダシステム１２（例えば無線周波数識別（ＲＦＩＤ）リーダシステム）とウェアラブルデバイス１４とを含む対話型システム１０の概略図である。１つの実施形態では、ウェアラブルデバイス１４は、ユーザがアトラクションを通って移動する時に着用又は携帯することができるブレスレット、ネックレス、チャーム、ピン、又は玩具等のウェアラブルデバイス又は携帯可能デバイスである。以下でより詳細に検討するように、リーダシステム１２は、電磁放射線によってウェアラブルデバイス１４と通信することができ、この通信により、アトラクションを通じたユーザの進行状況（例えば、乗り終えた乗り物、来場区域、接触した対話型要素、出会った着ぐるみ、勝ち取った仮想獲得物の数）の追跡が可能になる。またこの通信により、ウェアラブルデバイス１４が、ウェアラブルデバイス１４によって出力されるフィードバック応答（例えば光）を通じて、進行状況を示すフィードバック及び／又は様々な対話をユーザに提供することを可能にすることができる。
【００１９】
１つの実施形態では、リーダシステム１２は、１又は２以上のデータベース２８（例えばクラウドベースのストレージシステム）内に記憶されている情報にアクセスするコンピューティングシステム２２（メモリ２４及びプロセッサ２６を有する）に通信可能に結合された第１のリーダ１６と、第２のリーダ１８と、検出器２０（例えば光検出器又はカメラ）とを含む。一般的に、第１のリーダ１６及び第２のリーダ１８は、電磁放射線（例えば信号）をウェアラブルデバイス１４に送信する。１つの実施形態では、第１のリーダ１６は、１つの周波数（例えば範囲）の信号３０を送信し、第２のリーダ１８は、第１の周波数とは異なる別の周波数（例えば範囲）の信号３２を送信する。信号３０、３２を送信するのに加えて、第１のリーダ１６及び第２のリーダ１８は、ウェアラブルデバイス１４からの信号及びコンピューティングシステム２２からの信号等の信号を受信することができる。１つの実施形態では、コンピューティングシステム２２は、１又は２以上のデータベース２８内に符号化されたデータ内に記憶されている情報に基づいて、信号３０、３２をウェアラブルデバイス１４に送るようにリーダ（例えば第１のリーダ１６及び第２のリーダ１８）に命令する。すなわち、第１のリーダ１６及び第２のリーダ１８は、信号の送信と受信の両方を行うことができるトランシーバとすることができる点を理解されたい。１つの実施形態では、検出器２０は、ウェアラブルデバイス１４から発せられた光を検出し、この検出を用いて、例えば成功した対話を検出又は検証することができる。
【００２０】
図１に例示しているように、ウェアラブルデバイス１４の１つの実施形態は、対話型システム１０のウェアラブルデバイス１４が開示するように機能できるよう協働する、第１のＲＦＩＤタグ３４と、第２のＲＦＩＤタグ３６と、マイクロコントローラ３８と、フィードバックデバイス３９（例えば、ＬＥＤ、スピーカ、触覚手段）と、１又は２以上の追跡デバイス４０（例えばＬＥＤ又はセンサ）と、電源回路４２とを含む。１つの実施形態では、フィードバックデバイス３９はまた、追跡デバイス４０として動作することができる。第１のＲＦＩＤタグ３４及び第２のＲＦＩＤタグ３６は各々、信号を送受信するアンテナ４６と、情報（例えば一意識別コード）を記憶するメモリ４８と、マイクロチップ５０と、マイクロチップ５０に給電するための集積回路５２とを含む。加えて、集積回路５２は、マイクロコントローラ３８に電力を供給する電源回路４２に給電する。１つの実施形態では、電源回路３６は、電力を蓄積するように構成されたエネルギー蓄積デバイス（例えば、コンデンサ、スーパキャパシタ、バッテリ）を含むことができる。図示のように、ウェアラブルデバイス１４のマイクロコントローラ３８は、メモリ４４とプロセッサ４５とを含む。メモリ４４は、マイクロコントローラ３８及びウェアラブルデバイス１４の他の構成要素の動作を制御するためにプロセッサ４５によって実行されるコンピュータ可読命令を記憶する。１つの実施形態では、マイクロコントローラ３８は、フィードバックデバイス３９に信号を提供して、ウェアラブルデバイス１４とリーダシステム１２との間の成功した通信が発生したことをユーザに知らせるフィードバック応答をフィードバックデバイス３９に提供させる。
【００２１】
１つの実施形態では、ウェアラブルデバイス１４は、追跡デバイス４０を含むことができる。一般的に、追跡デバイス４０は、アトラクションの対話型要素とのユーザ対話を検出又は検証するのに用いることができる。ウェアラブルデバイス１４で用いることができる様々な追跡デバイス４０の検討を容易にするために、図１のウェアラブルデバイス１４は、２つの異なる種類の追跡デバイス４０（例えばＬＥＤ５４ａ、５４ｂ及びセンサ５６）を含むが、ウェアラブルデバイス１４においてはあらゆる個数（例えば、１、２、３、４、又はそれ以上）及び様々な種類の追跡デバイス４０を用いることができることを理解されたい。図示のように、１つの追跡デバイス４０は、１又は２以上のＬＥＤ５４ａ、５４ｂを含み、１つの追跡デバイス４０は、１又は２以上のセンサ５６を含む。ＬＥＤ５４ａ、５４ｂ及び／又はセンサ５６は、マイクロコントローラ３８から制御信号を受け取り、また、電源回路４２から電力を受け取ることもできる。ＬＥＤ５４ａ、５４ｂは、マイクロコントローラ３８からの制御信号に応答して光を発し、次いで、発せられた光は、検出器２０によって検出することができる。センサ５６は、例えば、加速度計、ジャイロメータ、圧力センサ、音響センサ(sound sensor)、又は光検出器を含むことができる。
【００２２】
一般的に、第１のＲＦＩＤタグ３４のアンテナ４６は、第１のリーダ１６から信号２４を受信するように設計され、第２のＲＦＩＤタグ３６のアンテナ４６は、リーダシステム１２の第２のリーダ１８から信号２６を受信するように設計される。１つの実施形態において、マイクロコントローラ３８は、タグ３４、３６とリーダ１６、１８との間の対話を識別し、ＬＥＤ５４のうちの１又は２以上の点灯を引き起こす信号（例えば制御信号）を送信する。１つの実施形態では、ＬＥＤ５４は、ユーザにフィードバックを提供するために可視光を発することができる。従って、ＬＥＤ５４は、コンピューティングシステム２２がユーザの位置を追跡可能にするための追跡デバイス４０として動作するのに加えて、ユーザにフィードバックを提供するフィードバックデバイス２９として動作することができる。１つの実施形態では、対話型システム１０のウェアラブルデバイス１４は、音を発するように構成されたオーディオデバイス又は触覚出力（例えば振動）を提供するように構成された触覚手段等、追加的又は代替的なフィードバックデバイス３９を含むことができる。ＬＥＤ５４によって発せられた光は、検出器２０により検出することができ、検出器２０は、検出された光を示す信号をコンピューティングシステム２２に提供することができる。一意の識別コードを示す後方散乱はまた、第１のＲＦＩＤタグ３４及び／又は第２のＲＦＩＤタグ３６によって発することができ、後方散乱は、ユーザがアトラクションを通って移動する時にユーザの進行状況（例えばゲーム統計）を追跡するのを容易にするためにコンピューティングシステム２２によってユーザを識別するのに利用される。
【００２３】
より具体的には、リーダシステム１２の第１のリーダ１６は、信号３０を連続的に送信する。第１のＲＦＩＤタグ３４のアンテナ４６は、第１のリーダ１６から電磁放射線（例えば信号３０）を受信し、並びに信号５１を第１のリーダ１６に送信するように構成される。集積回路４４は、アンテナ４６によって受信された電磁放射線を電気に変換し、マイクロチップ５０に電力を供給し、マイクロチップ５０は、後方散乱（例えば信号５１）を発生させる。後方散乱は、第１のＲＦＩＤタグ３４のメモリ４８内に記憶されている情報（例えば一意の識別コード）を含む。後方散乱（例えば信号５１）は、第１のリーダ１６によって受信され、第１のリーダ１６はコンピューティングシステム２２に信号を送ることができる。コンピューティングシステム２２は、ウェアラブルデバイス１４に関連付けられたユーザ（例えば、ユーザは、アトラクションを体験する前にウェアラブルデバイス１４を登録してウェアラブルデバイス１４をユーザに関連付けることができる）の識別情報を決定するように、及び／又は１又は２以上のデータベース２８内にあるウェアラブルデバイス１４に関する情報（例えばゲーム統計）を更新するように信号を処理することができる。このようにして、対話型システム１０は、ユーザがアトラクションを通って移動する時に、アトラクション内のユーザの存在を検出し、及び／又はユーザの進行状況（例えばゲーム統計）を追跡することができる。
【００２４】
更に、電力がマイクロコントローラ３８に供給されると、マイクロコントローラ３８のプロセッサ４５はまた、第１のリーダ１６からの信号３０が第１のＲＦＩＤタグ３４において受信されたことを示す信号を第１のＲＦＩＤタグ３４から受信して処理することができる。次いで、マイクロコントローラ３８のプロセッサ４５は、マイクロコントローラ３８のメモリ４４上に記憶された命令を実行し、ＬＥＤ５４ａ、５４ｂのうちの１又は２以上を点灯させ、追跡を容易にする、及び／又はユーザにフィードバックを提供することができる。１つの実施形態では、マイクロコントローラ３８は、第１のリーダ１６からの信号３０が第１のＲＦＩＤタグ３４において受信されたことを示す信号に応答して、ある特定の種類の点灯(illumination)（例えば、ライトの個数、色、明滅パターン、時間長）を提供するようにプログラミングすることができる。例えば、第１のＲＦＩＤタグ３４が、第１のＲＦＩＤリーダ１６から信号３０を受信すると、マイクロコントローラ３８は、第１のＬＥＤ５４ａを点灯させることができる。１つの実施形態では、第１のリーダ１６によって送信される信号３０は、極超短波（ＵＨＦ）信号（例えば、約３００メガヘルツと３ギガヘルツとの間の周波数を有する）である。このため、第１のＲＦＩＤタグ３４は、第１のリーダ１６から比較的遠い距離（例えば、最大で約３メートル、４メートル、５メートル、６メートル、７メートル、８メートル、又はそれ以上）に位置する時に、第１のリーダ１６から信号５１を受信することができる。
【００２５】
これに加えて、第２のリーダ１８は、信号３２を連続的に送信することができる。第２のＲＦＩＤタグ３６のアンテナ４６は、第２のリーダ１８から電磁放射線（例えば信号３２）を受信するように構成される。集積回路４４は、アンテナ４６によって受信された放射線を電気に変換して、マイクロチップ５０に電力を供給し、マイクロチップ５０は後方散乱（例えば信号５２）を発生させる。後方散乱は、第２のＲＦＩＤタグ３６のメモリ４６内に記憶されている情報（例えば一意の識別コード）を含む。幾つかの実施形態では、第１のＲＦＩＤタグ３４及び第２のＲＦＩＤタグ３６のそれぞれのメモリ４０内に記憶されている情報をリンクすることができる（例えば、第２のＲＦＩＤタグ３６における信号３２の受信に応答して発生させる後方散乱は、第１のＲＦＩＤタグ３４のメモリ４６内に記憶されている情報を含むことができる）、又は第１のＲＦＩＤタグ３４と第２のＲＦＩＤタグ３６とが１つのメモリ４６を共有することができる（例えば、異なる周波数の信号を受信する能力を有する二重ＲＦＩＤタグである）ことを理解されたい。後方散乱（例えば信号５２）は、第２のリーダ１８によって受信され、第２のリーダ１８がコンピューティングシステム２２に信号を送ることができる。コンピューティングシステム２２は、信号を処理して、ウェアラブルデバイス１４に関連付けられたユーザの識別情報を決定する、及び／又は１又は２以上のデータベース２８内にあるウェアラブルデバイス１４に関する情報（例えばゲーム統計）を更新することができる。第１のＲＦＩＤリーダ１６は、アトラクションの特定の区域（例えば部屋）に関連付けることができ、第２のＲＦＩＤリーダ１８は、アトラクションの特定の対話型要素（例えば物理的又は仮想的ターゲット）に関連付けることができるので、コンピューティングシステム２２は、ユーザの概略位置と、対話型要素とのユーザの対話との両方を追跡することができる。このようにして、対話型システム１０は、ユーザがアトラクションを通って移動する時にユーザの進行状況（例えば概略位置及び／又はゲーム統計）を追跡することができる。
【００２６】
更に、電力がマイクロコントローラ３８に供給されると、マイクロコントローラ３８のプロセッサ４５はまた、第２のリーダ１８からの信号３０が第２のＲＦＩＤタグ３６において受信されたことを示す信号を第２のＲＦＩＤタグ３６から受信して処理することができる。次いで、マイクロコントローラ３８のプロセッサ４５は、マイクロコントローラ３８のメモリ４４上に記憶された命令を実行して、ＬＥＤ５４ａ、５４ｂのうちの１又は２以上を点灯させ、追跡を容易にすること、及び／又はユーザにフィードバックを提供することができる。１つの実施形態では、マイクロコントローラ３８は、第２のリーダ１８からの信号３２が第２のＲＦＩＤタグ３６において受信されたことを示す信号に応答して、ある特定の種類の点灯(illumination)（例えば、ライトの個数、色、明滅パターン、時間長）を提供するようにプログラミングすることができる。例えば、第２のＲＦＩＤタグ３６が第２のＲＦＩＤリーダ１８から信号３２を受信すると、マイクロコントローラ３８は、第２のＬＥＤ５４ｂを点灯させることができる。１つの実施形態では、第２のリーダ１６により送信される信号３２は、近距離無線通信（ＮＦＣ）信号（例えば、約１０メガヘルツから２０メガヘルツの間の周波数を有する）である。このため、第２のＲＦＩＤタグ３６は、第１のリーダ１６の比較的短い距離（例えば、約１センチメートル、２センチメートル、３センチメートル、４センチメートル、又は５センチメートル）内に存在する時に、第２のリーダ１８から信号３２を受信することができる。第１のＲＦＩＤリーダ１６は、アトラクションの特定の区域（例えば部屋）に関連付けることができ、第２のＲＦＩＤリーダ１８は、アトラクションの特定の対話型要素（例えばターゲット）に関連付けることができるので、ウェアラブルデバイス１４上でのＬＥＤ５４の点灯により、精確な追跡及び／又はユーザへの複数の種類のフィードバックを可能にすることができる。例えば、第１のＲＦＩＤリーダ１６からの信号３０の受信に応答した第１のＬＥＤ５４ａの点灯は、対話型システム１０がアトラクションの特定の区域内にいるユーザを検出したことをユーザに通知することができ、第２のＲＦＩＤリーダ１８からの信号３２の受信に応答した第２のＬＥＤ５４ｂの点灯は、対話型システム１０が特定の対話型要素とのユーザの対話を検出したことをユーザに通知することができる。以下でより詳細に検討するように、検出器２０によるＬＥＤ５４ａ、５４ｂからの光の検出によって、追加のデータ（例えば、ＲＦＩＤリーダ１６、１８を介して受信されたデータに加えて）を提供し、ユーザがアトラクションの特定の区域内にいること又は対話型要素と対話したことをコンピューティングシステム２２が決定できるようにすることができる。
【００２７】
一般的に、第２のリーダ１８は、第１のリーダ１６と同様に動作するが、第１のリーダ１６は、第１のＲＦＩＤタグ３４と通信し（且つ第２のＲＦＩＤタグ３６とは通信せず）、他方、第２のリーダ１８は、第２のＲＦＩＤタグ３６と通信する（且つ第１のＲＦＩＤタグ３４とは通信しない）。ウェアラブルデバイス１４は、異なる距離を伝播する信号３０、３２を送信するそれぞれのリーダ１６、１８と通信するように各々が構成された少なくとも２つのＲＦＩＤタグ２８、３０を含むことができる。比較的長い距離を介して通信する第１のＲＦＩＤタグ３４と第１のリーダ１６は、ウェアラブルデバイス１４の概略位置を追跡すること及びウェアラブルデバイス１４を充電することを可能にし、これに対して、比較的短い距離を介して通信する第２のＲＦＩＤタグ３６と第２のリーダ１８は、ユーザとアトラクション内の対話型要素との間の接触（又は接近）に基づいて対話の監視を可能にする。しかしながら、第２のＲＦＩＤタグ３６を用いてウェアラブルデバイス１４を充電できることを理解されたい。
【００２８】
１つの実施形態では、対話型システム１０は、アトラクション内の様々な位置に複数の第１のリーダ１６を含むことができる。ユーザがアトラクションを通って移動する時に、どの第１のリーダ１６がウェアラブルデバイス１４と現在通信しているかに基づいて、データベース２８内のユーザの位置が更新される。１つの実施形態では、第１のリーダ１６のうちの各リーダとの各対話に基づいて、ユーザにフィードバックを提供することができる。例えば、１つの第１のリーダ１６は、アトラクションの入口に位置付けることができ、別の第１のリーダ１６は、アトラクションの部屋又は区域内に位置付けることができる。この場合、ウェアラブルデバイス１４は、ユーザがアトラクションに入った時にフィードバック（例えば第１ＬＥＤ５４ａの点灯）を提供し、これによってユーザが対話型システム１０によって検出されたことをユーザに通知する。次いで、ユーザが部屋又は区域に入った時に、ウェアラブルデバイス１４は、別のフィードバック（例えば同じフィードバック又は第２のＬＥＤ５４ｂの点灯等の異なるフィードバック）を提供し、これによってユーザが新しい区域内にいるものとして対話型システム１０によって検出されたことをユーザに通知する。また、１又は２以上のＬＥＤ５４は、ユーザの追跡を行うために検出器２０と協働して用いることができる。
【００２９】
１つの実施形態では、１又は２以上の第１のリーダ１６及び１又は２以上の第２のリーダ１８は、ユーザの没入体験を改善するように協働することができる。例えば、ユーザは、１又は２以上の第１のリーダ１６を含む区域に入ることができる。この区域は、各々が１又は２以上の第２のリーダ１８に関連付けられた又はその付近にある１又は２以上のターゲットを含むことができる。上記で検討したように、ウェアラブルデバイス１４が、この区域内にある１つの第１のリーダ１６の範囲（例えば比較的長い範囲）内に存在すると、ウェアラブルデバイス１４は、この１つの第１のリーダ１６と通信し、データベース２８が更新され、ウェアラブルデバイス１４は、ユーザがこの区域内で検出されたというフィードバックを、ユーザに提供することができる。これに加えて、ウェアラブルデバイス１４が、１つの第２のリーダ１８の範囲（例えば比較的短い範囲）内に存在する（例えば、ユーザが、この１つの第２のリーダ１８に関連付けられたターゲットを叩く、タッチする、又はその傍を歩くことに起因して）と、ウェアラブルデバイス１４は、第２のリーダ１８と通信し、データベース２８が更新され、ウェアラブルデバイス１４は、ユーザがターゲットと成功裏に対話した（例えば得点が割り当てられた）というフィードバックをユーザに提供することができる。従って、ウェアラブルデバイス１４と第１のリーダ１６との間の通信は、遊園地全体にわたってユーザの比較的長い範囲の追跡を行う（例えば、ユーザが、第１のリーダ１６の範囲によって定義される概略位置にいることを識別する）ことができる。更に、ウェアラブルデバイス１４と第２のリーダ１８との間の通信は、比較的短い範囲内で追跡を行うことができる。１つの実施形態では、検出器２０は、第２のリーダ１８と第２のＲＦＩＤタグ３６との間の通信に応答してＬＥＤ５４によって発せられた光を検出するために、対話型要素及び／又は第２のリーダ１８の付近等、アトラクションの様々な部分に配置することができる。
【００３０】
１つの実施形態では、検出器２０がウェアラブルデバイス１４のＬＥＤ５４によって発せられた光を検出した場合に（例えばこの場合に限り）、ユーザが自分のウェアラブルデバイス１４を対話型要素と相対的に適正に位置付けしたことをかかる検出が示すことができるので、コンピューティングシステム２２は、ユーザに得点を付与することができる。１つの実施形態では、第２のリーダ１８とウェアラブルデバイス１４の第２のＲＦＩＤタグ３６との間の対話又は通信の間（又はその直前又は直後）にユーザが着用しているウェアラブルデバイス１４が運動している（例えば、ユーザが手を振っている、又はターゲットを叩いている）ことを検出器２０が検出した場合に（例えばこの場合に限り）、コンピューティングシステム２２は、ユーザに得点を付与することができる。１つの実施形態では、検出器２０は、追跡デバイス４０のＬＥＤ５４の特性（例えば、色、波長、明滅パターン）を検出することができる。ＬＥＤ５４の特性は、１つのウェアラブルデバイス１４又はウェアラブルデバイス１４のグループに関連付けることができる。従って、特性の検出は、コンピューティングシステム２２によって使用され、対話型要素との対話を完了したゲストの識別情報を決定又は検証することができる。このようにして、検出器２０が、光、運動を示す光、又は特性を有する光を検出した時に、コンピューティングシステム２２は、ウェアラブルデバイス１４と第２のリーダ１８との間の通信及び検出器２０にてＬＥＤ５４によって発せられた光の検出の両方によって示される成功した対話に基づいて、ユーザに得点を付与することができる。
【００３１】
本明細書で検討するように、１つの実施形態では、追跡デバイス４０は、センサ５６を含むことができる。センサ５６は、ジャイロメータ、加速度計、圧力センサ、光センサ、又は音響センサとすることができ、ウェアラブルデバイスのマイクロコントローラ３８は、センサ５６を動作させるための制御信号及び／又は電力を提供することができる。一般的な動作では、センサ５６は、ユーザがアトラクションの対話型要素と対話していることを示す状態（例えば、移動、位置、音、圧力、又は光）を検出することができる。例えば、センサ５６が加速度計である時には、センサ５６は、手を突き出す、踊る、又は他の様々なジェスチャー等、ユーザによるウェアラブルデバイス１４の移動を検出することができる。センサ５６が光センサである場合には、センサ５６は、光が存在すること又は存在しないことを検出することができる。マイクロコントローラ３８は、センサ５６からデータを受け取って、このデータをＲＦＩＤタグ３４、３６のうちの１又は２以上のＲＦＩＤタグのメモリ４８に書き込むことができる。データは、１又は２以上のＲＦＩＤタグ３４、３６のアンテナ４６によって送信され（後方散乱を通じて）、それぞれのリーダ１６、１８によって読み出すことができる。次いで、リーダ１６、１８により受信されたデータに基づいて、コンピュータシステム２２は、データベース２８を更新し、ユーザに得点を付与する。
【００３２】
上述のように、１つの実施形態では、第１のＲＦＩＤタグ３４のアンテナ４６はＵＨＦ波のみを受信することができ、他方、第２のＲＦＩＤタグ３６のアンテナ４６はＮＦＣ波のみを受信することができる。例えば、第１のＲＦＩＤタグ３４は、ＵＨＦ波を用いてのみ通信（例えば送信又は受信）することができ、第２のＲＦＩＤタグ３６は、ＮＦＣ波を用いてのみ通信することができる。ＵＨＦ信号はより長い距離を伝播するので、ユーザがアトラクションを通って移動する時に、第１のＲＦＩＤタグ３４は、第１のリーダ１６によって発せられたＵＨＦ信号を高頻度で又は連続的に受信することができるが、第２のＲＦＩＤタグ３６は、ユーザがウェアラブルデバイス１４を第２のリーダ１８の近くに位置付けした時にだけ、第２のリーダ１８によって発せられたＮＦＣ信号を受信することができる。従って、１つの実施形態では、ＵＨＦ信号は、ウェアラブルデバイス１４に給電する又は充電する（例えば集積回路５２及び電源回路４２による電力取り出しによって）のに用いることができる。しかしながら、ＮＦＣ信号はまた、同様の方式でウェアラブルデバイス１４に給電又は充電するのに用いることができる。
【００３３】
対話型システム１０は、複数のユーザを追跡すること、及び／又は複数のウェアラブルデバイス１４についてのフィードバックを提供することができることを理解されたい。例えば、複数のユーザは各々、アトラクション内の様々な位置に配置された複数の第１のリーダ１６及び第２のリーダ１８と通信するように構成されたそれぞれのウェアラブルデバイス１４を着用することができる。また、１つの実施形態では、本明細書で開示される技法を容易にするために、対話型システム１０のウェアラブルデバイス１４は、第１の周波数（例えば周波数範囲）の信号及び第２の周波数（例えば別の周波数範囲）の信号と通信することができる単一のＲＦＩＤタグ（例えば二重周波数ＲＦＩＤタグ）を含むことができることを理解されたい。本明細書で提供されるある特定の実施例は、対話型システム１０にて利用することができる様々な構成要素の検討を容易にするために、複数の種類のＲＦＩＤリーダ１６、１８及びＲＦＩＤタグ３４、３６を含むが、ウェアラブルデバイス１４は、１つのＲＦＩＤタグのみ（例えば第１のＲＦＩＤタグ３４のみ又は第２のＲＦＩＤタグ３６のみ）を含むことができ、リーダシステム１２は、１つの種類のＲＦＩＤリーダのみ（例えば、１つの周波数範囲において電磁放射線を発するように構成された１又は２以上の第１のＲＦＩＤリーダ１６のみ、或いは１つの周波数範囲において電磁放射線を発するように構成された１又は２以上の第２のＲＦＩＤリーダ１８のみ）を含むことができることを理解されたい。かかる構成は、ユーザがアトラクションを通って移動する時に追跡及び／又はフィードバックを容易にするためにＬＥＤ５４の点灯を生じることができ、及び／又はかかる構成は、センサ５６を用いた追跡を可能にすることができる。
【００３４】
図２は、第１のウェアラブルデバイス１４ａを着用している第１のユーザ６０ａと、第２のウェアラブルデバイス１４ｂを着用している第２のユーザ６０ｂと、を例示している。対話型システム１０の例示された部分は、全てがコンピューティングシステム２２に通信可能に結合された、２つの第２のリーダ１８ａ、１８ｂ、第１のリーダ１６、及び検出器２０を含む。図示するように、第１のリーダ１６は、ユーザ６０ａ、６０ｂが着用するウェアラブルデバイス１４ａ、１４ｂによって受信可能な信号３０を送信する。各第２のリーダ１８ａ、１８ｂは、それぞれの区域６２ａ、６２ｂ内で信号３２ａ、３２ｂを送信する。
【００３５】
１つの実施形態では、第２のリーダ１８ａ、１８ｂは、比較的短い通信範囲を有し、従って、ユーザ６０ａ、６０ｂが第２のリーダ１８ａ、１８ｂの付近にあるターゲット６４ａ、６４ｂと物理的に接触した時、又はウェアラブルデバイス１４ａ、１４ｂが他の方法で区域６２ａ、６２ｂに持ち込まれた時に、ウェアラブルデバイス１４ａ、１４ｂと通信する。更に、第１のリーダ１６は、比較的長い通信距離を有し、従って電磁放射線を通じてウェアラブルデバイス１４ａ、１４ｂと連続的に通信する。
【００３６】
ウェアラブルデバイス１４ａ、１４ｂと第２のリーダ１８ａ、１８ｂとの間の成功した通信は、ウェアラブルデバイス１４ａ、１４ｂの１又は２以上のＬＥＤ５４ａ、５４ｂの点灯を生じることができる。ウェアラブルデバイス１４ａ、１４ｂのＬＥＤ５４ａ、５４ｂが点灯すると、検出器２０は、ウェアラブルデバイス１４ａ、１４ｂと第２のリーダ１８ａ、１８ｂとの間（又はユーザと特定のターゲット６４との間）で正しい又は望ましい対話が発生したという検証を提供する。１つの実施形態では、検証は、どのユーザ６０ａ、６０ｂが第２のリーダ１８ａ、１８ｂと対話したかを決定するステップを含むことができる。例えば、ウェアラブルデバイス１４ａ、１４ｂのＬＥＤ５４ａ、５４ｂの点灯(illumination)の特性は、各ウェアラブルデバイス１４ａ、１４ｂに特有のものとすることができる。例えば、第１のウェアラブルデバイス１４ａのＬＥＤ５４ａは、１つの色のものとすることができ、第２のウェアラブルデバイス１４ｂのＬＥＤ５４ｂは、別の色のものとすることができる。更に、ウェアラブルデバイス１４ａ、１４ｂのＬＥＤ５４は、固有の速度で明滅し、又は検出器２０によって検出可能な様々な他の差別化特性を有することができ、従って、コンピューティングシステム２２のプロセッサ２６は、どのウェアラブルデバイス１４ａ、１４ｂがターゲット６４ａ、６４ｂの付近にあるかを決定するか、又はこれを示す追加の入力を受信することができる。
【００３７】
更に具体的には、１又は２以上のＬＥＤ５４ａを有するウェアラブルデバイス１４ａを着用している第１のユーザ６０ａは、ターゲット６４ａの近くに位置している。上記で検討したように、ウェアラブルデバイス１４ａは、第１のリーダ１６から信号３０を受信する。従って、ウェアラブルデバイス１４ａの構成要素が給電され、及び／又はコンピューティングシステム２２は、第１のユーザ６０ａがターゲット６４ａの近傍に存在すると決定することができる。しかしながら、例示しているように、第１のユーザ６０ａのウェアラブルデバイス１４ａは、第２のリーダ１８ａの区域６２ａ内には存在しない。従って、ウェアラブルデバイス１４ａは、第２のリーダ１８ａとは通信状態にない。しかしながら、第１のユーザ６０ａが、区域６２ａ内にウェアラブルデバイス１４ａを位置付けると、ウェアラブルデバイス１４ａは、第２のリーダ１８ａと通信状態になり、１つの実施形態では、追跡を容易にするため及び／又はフィードバック応答を提供するために、ＬＥＤ５４ａのうちの１又は２以上を点灯させることができる。例えば、例示するように、検出器２０は、ターゲット６４ａ及び第２のリーダ１８ａの付近に位置付けされる。従って、検出器２０は、１又は２以上のＬＥＤ５４ａによって発せられた光（例えば、ウェアラブルデバイス１４ａの第２のＲＦＩＤタグ３６（図１）と第２のリーダ１８ａとの間の対話に起因して発せられた光）を検出することができ、他方、ウェアラブルデバイス１４は、ターゲット６４ａと相対的に、且つ区域６２ａ内で第２のリーダ１８ａの付近に適正に位置付けされる。
【００３８】
ウェアラブルデバイス１４ａの第２のＲＦＩＤタグ３６（図１）との対話が発生したことを示す信号（ウェアラブルデバイス１４ａからの第２のＲＦＩＤタグ３６（図１）から転送された識別情報を含むこともできる）を第２のリーダ１８ａから受信し、並びに１又は２以上のＬＥＤ５４ａからの光が検出されたこと及び／又はこの光がウェアラブルデバイス１４ａの１又は２以上のＬＥＤ５４ａによって発せられた光の予測される特性に相応する特性を有することを示す信号を検出器２０から受信すると、コンピューティングシステム２２は、第１のユーザ６０ａとターゲット６４ａとの間の対話に基づく情報でデータベース２８を更新する（例えば得点を割り当てる）ことになる。１つの実施形態では、コンピューティングシステム２２は、検出器２０から受け取った信号に基づいて、ウェアラブルデバイス１４ａと第２のリーダ１８ａとの間の対話中にウェアラブルデバイス１４ａが運動状態にあったか否かを決定することができる（例えば、検出器２０は、１又は２以上のＬＥＤ５４ａによって発せられた光の動きを検出することができる、撮像センサ、カメラ、又は他の種類の検出器を含むことができる）。
【００３９】
図示のように、第２のユーザ６０ｂのウェアラブルデバイス１４ｂは、第２のリーダ１８ｂによって発せられた信号３２ｂを含む区域６２ｂ内に存在する。従って、ウェアラブルデバイス１４ｂと第２のリーダ１８ｂとは通信状態にあり、ウェアラブルデバイス１４ｂの１又は２以上のＬＥＤ５４ｂは、検出器２０によって検出可能な光５８を発している。第２のＲＦＩＤタグ３６（図１）との対話が発生したことを示す信号（ウェアラブルデバイス１４ｂからの第２のＲＦＩＤタグ３６から転送された識別情報を含むこともできる）を第２のリーダ１８ｂから受信し、並びにＬＥＤ５４ｂからの光が検出されたこと及び／又はこの光がウェアラブルデバイス１４ａのＬＥＤ５４ｂによって発せられた光の予測される特性に相応する特性を有することを示す信号を検出器２０から受信すると、コンピューティングシステム２２は、第２のユーザ６０ｂとターゲット６４ｂとの間の対話に基づく情報でデータベース２８を更新する（例えば得点を割り当てる）。１つの実施形態では、コンピューティングシステム２２は、検出器２０から受け取った信号に基づいて、ウェアラブルデバイス１４ｂと第２のリーダ１８ｂとの間の対話中にウェアラブルデバイス１４ｂが運動状態にあったか否かを決定することができる（例えば、検出器２０は、１又は２以上のＬＥＤ５４ｂによって発せられた光の動きを検出することができる撮像センサ、カメラ、又は他の種類の検出器を含むことができる）。
【００４０】
上述のように、１つの実施形態では、ＬＥＤ５４は、追跡を可能にし、更にユーザにフィードバックを提供するために１又は２以上の周波数の可視光を発することができる。しかしながら、１つの実施形態では、ＬＥＤ５４は、検出器２０を用いてＬＥＤ５４を検出することを可能にし、またユーザが例えばアトラクションを通って移動する又はゲームに参加する時に可能性のあるユーザの注意散漫を抑えるために不可視光（例えば赤外線）を発することができる。ウェアラブルデバイス１４の１又は２以上のＬＥＤ５４は、第１のリーダ１６からの信号３０の受信に応答して点灯させることができることを理解されたい。このような場合には、検出器２０は、発せられた光を検出することができ、この光は、コンピューティングシステム２２がユーザの識別情報を決定し、得点を適正に割り当てることを可能にする特定の特性を有することができる。検出器２０からの信号は、第１のＲＦＩＤタグ３４（図１）から第１のリーダ１６へと送信される識別情報と組み合わせで考慮され、ユーザの識別情報の決定及び得点の適正な割り当てを容易にすることができる。従って、一部の例では、対話型システム１０は、第２のリーダ１８なしに動作することができる。
【００４１】
１つの実施形態では、ウェアラブルデバイス１４は光検出器を含むことができ、例示している検出器２０は、代わりに、発光体とすることができることも理解されたい。このような場合には、マイクロプロセッサ３８は、ＲＦＩＤタグ３４、３６のうちの１又は２以上のＲＦＩＤタグのメモリ４８に、ウェアラブルデバイス１４の検出器における発光体によって発せられた光の検出を示す情報を書き込むことができる。１つの実施形態では、ウェアラブルデバイス１４の検出器は、暗度を検出するように構成することができ、その結果、マイクロプロセッサ３８は、光レベルが閾値よりも低いと決定するのに基づいてＲＦＩＤタグのメモリ４８に書き込みを行う。データは、メモリ４８からＲＦＩＤリーダ１６、１８に転送することができ、成功した対話（例えば、ユーザがウェアラブルデバイス１４を暗い区域内に適正に位置付けしたこと）を確認するためにコンピューティングシステム２２が用いることができる。
【００４２】
図３は、第１のユーザ６０ａと、第２のユーザ６０ｂと、検出器２０と、第１のリーダ１６と、第２のリーダ１８とを例示している。第１のリーダ１６、第２のリーダ１８、及び検出器２０は、上記で検討したように、コンピューティングシステム２２に通信可能に結合される。第２のリーダ１８は、区域６２内で信号３２を発している。第１のユーザ６０ａは、１又は２以上のＬＥＤ５４ａを有するウェアラブルデバイス１４ａを着用しており、第２のユーザ６０ｂは、１又は２以上のＬＥＤ５４ｂを有するウェアラブルデバイス１４ｂを着用している。例示するように、検出器２０は、第２のリーダ１８からの信号３２の範囲に関連する区域６２と部分的に重なり合う可能性がある範囲６３内の光を検出する。
【００４３】
例示するように、両方のウェアラブルデバイス１４ａ、１４ｂは、ターゲット６４の付近に配置された第２のリーダ１８からの信号３２の範囲に関連する区域６２内に存在する。従って、両方のウェアラブルデバイス１４ａ、１４ｂは、第２のリーダ１８と通信状態にある。しかしながら、例示するように、第１のユーザ６０ａが着用しているウェアラブルデバイス１４ａはまた、検出器２０に関連する範囲６３内に存在する。ウェアラブルデバイス１４ａの１又は２以上のＬＥＤ５４ａは、ウェアラブルデバイス１４ｂの１又は２以上のＬＥＤ５４ｂとは異なる特性の点灯(illumination)を有することができる（例えば、１又は２以上のＬＥＤ５４ａは、赤色光を発することができ、１又は２以上のＬＥＤ５４ｂは青色光を発することができる）。図示の実施例では、検出器２０は、第１のユーザ６０ａが着用しているウェアラブルデバイス１４ａの１又は２以上のＬＥＤ５４ａからの光だけを検出することができる。従って、コンピューティングシステム２２は、第１のユーザ６０ａが第２のユーザ６０ｂとは異なる様に第２のリーダ１８（及びターゲット６４）と対話していると決定することができる。１つの実施形態では、コンピューティングシステム２２は、検出器２０が１又は２以上のＬＥＤ５４（例えば５４ａ及び／又は５４ｂ）を観測するか否かと組み合わせてウェアラブルデバイス１４ａ、１４ｂと第２のリーダ１８との間の通信に基づいて、ユーザ６０ａ、６０ｂに褒賞を与える決定を行うことができる。例えば、図示の実施例では、第１のユーザ６０ａが携帯しているウェアラブルデバイス１４ａが第２のリーダ１８の範囲６２内にある間、検出器２０がウェアラブルデバイス１４ａの１又は２以上のＬＥＤ５４ａによって発せられた光を検出するので、コンピューティングシステム２２は、第１のユーザ６０ａにのみ得点を付与することができる。
【００４４】
上述のように、１つの実施形態では、対話型システム１０は、１つのリーダ（例えば第１のリーダ１６又は第２のリーダ１８のどちらか）及びこれに相応するＲＦＩＤタグ（例えば第１のＲＦＩＤタグ３４又は第２のＲＦＩＤタグ３６のどちらか）だけを含むことができる。例えば、例示の対話型システム１０が、第１のリーダ１６及び第１のＲＦＩＤタグ３４のみを含む場合には、それぞれのウェアラブルデバイス１４の１又は２以上のＬＥＤ５４は、ウェアラブルデバイス１４が第１のリーダ１６と通信する間に光を連続的に発することができる。従って、コンピューティングシステム２２は、ウェアラブルデバイス１４の１又は２以上のＬＥＤ５４から発せられた光を検出器２０が検出した時に、ユーザに得点を付与することができる。
【００４５】
図４は、第１のユーザ６０ａと、第２のユーザ６０ｂと、第２のリーダ１８ａ、１８ｂと、第１のリーダ１６とを例示している。第１のリーダ１６及び第２のリーダ１８ａ、１８ｂは、コンピューティングシステム２２に通信可能に結合される。第２のリーダ１８ａは、区域６２ａ内で信号３２ａを発している。第２のリーダ１８ｂは、区域６２ｂ内で信号３２ｂを発している。例示するように、出力６８（例えば、音、光）を提供する出力デバイス６７（例えば、スピーカ、発光体）は、ターゲット６４ａの付近に位置付けることができる。
【００４６】
第１のユーザ６０ａのウェアラブルデバイス１４ａと第２のユーザ６０ｂのウェアラブルデバイス１４ｂの両方が、第１のリーダ１６と通信状態にあり（例えば、第１のリーダ１６から信号３０を受信する）、従って、給電されることができ、第１のリーダ１６に識別情報を提供することができる（例えば後方散乱を介して）。第１のユーザ６０ａのウェアラブルデバイス１４ａはまた、第２のリーダ１８ａと通信状態にある（例えば、区域６２ａ内にあり、信号３２ａを受信している）。１つの実施形態では、ウェアラブルデバイス１４ａのセンサ５６ａは、音を検出するように構成することができ、出力デバイス６７は、出力６８として音を提供するように構成することができる。従って、センサ５６ａが出力６８を検出した時に、ウェアラブルデバイス１４ａのマイクロコントローラ３８は、この検出を示すデータをウェアラブルデバイス１４ａのメモリ４８に書き込むことができる。次いで、ウェアラブルデバイス１４ａのアンテナ４６が、このデータを第１のリーダ１６又は第２のリーダ１８ａに後方散乱することができる。コンピューティングシステム２２は、ウェアラブルデバイス１４ａが第２のリーダ１８ａと通信状態にあり、且つ出力６８も検出していることに基づいて、第１のユーザ６０ａに得点を付与すべきであると決定することができる。ウェアラブルデバイス１４ａの追跡を容易にするために、出力デバイス６７は、光を発する発光体を追加的又は代替的に含むことができ、ウェアラブルデバイス１４ａは、この発光体によって発せられた光を検出するように構成された光検出器を含むことができることを理解されたい。
【００４７】
第２のユーザ６０ｂが着用しているウェアラブルデバイス１４ｂのセンサ５６ｂは、ウェアラブルデバイス１４ｂの運動又は位置を検出するジャイロスコープ又は加速度計等の運動センサとすることができる。第２のユーザ６０ｂがウェアラブルデバイス１４ｂを区域６２ｂ内に移動させた（例えば矢印７０で例示している）時に、ウェアラブルデバイス１４ｂは、第２のリーダ１８ｂと通信状態にある。１つの実施形態では、センサ５６ｂはまた、ウェアラブルデバイス１４ｂが第２のリーダ１８ｂと通信状態になる前又は通信状態にある間にウェアラブルデバイス１４ｂの運動又は向きを検出することができる。例えば、センサ５６ｂは、ウェアラブルデバイス１４が第２のリーダ１８ｂと通信する時にだけ、ウェアラブルデバイス１４の状態を感知するように動作することができる。１つの実施形態では、センサ５６ｂは、他の時間期間にて（例えば、ウェアラブルデバイス１４ｂと第１のリーダ１６との間の通信等によって十分な電力が供給される時にはいつでも）動作させることができる。幾つかのこのような場合には、ウェアラブルデバイス１４ｂが第２のリーダ１８ｂと通信する時に取得されたデータのみを、１又は２以上のＲＦＩＤタグ３４、３６のメモリ４８に書き込むこと、及び／又は後方散乱によってコンピューティングシステム２２に転送することができる。幾つかのこのような場合には、ある一定の時間期間（例えば、ウェアラブルデバイス１４ｂと第２のリーダ１８ｂとの間の最初の通信の前の約１秒、２秒、３秒、４秒、５秒、又はそれ以上）の間に取得されたデータのみを１又は２以上のＲＦＩＤタグ３４、３６のメモリ４８に書き込むこと、及び／又は後方散乱によってコンピューティングシステム２２に転送することができる。幾つかのこのような場合には、運動を示すデータのみを１又は２以上のＲＦＩＤタグ３４、３６のメモリ４８に書き込むこと、及び／又は後方散乱によってコンピューティングシステム２２に転送することができる。
【００４８】
より具体的には、センサ５６ｂによって測定されたデータは、ＲＦＩＤタグ３４、３６のうちの１又は２以上のＲＦＩＤタグのそれぞれのメモリ４８に書き込まれる。次いで、データがそれぞれのリーダ１６、１８ｂに後方散乱され、コンピューティングシステム２２は、第２のユーザ６０ｂにより実施されたジェスチャーを示すデータに基づいて得点を付与する決定を行うことができる。上記で検討したように、１つの実施形態では、対話型システム１０は、ある種のリーダ（例えば１又は２以上の第１のリーダ１６或いは１又は２以上の第２のリーダ１８ｂ）だけを含むことができ、センサ５６は、同様の方式でウェアラブルデバイス１４の状態を監視するように動作することができる。
【００４９】
図５は、本発明の技法による、センサ５６を含むウェアラブルデバイス１４を動作させるためのプロセス８０の１つの実施形態を例示するフロー線図である。本明細書で検討するステップは、単に例証的に過ぎず、ある特定のステップを省略又は追加することができ、これらのステップを異なる順序で実施することができる点を理解されたい。１つの実施形態では、プロセス８０は、ウェアラブルデバイス１４のマイクロコントローラ３８及び他の構成要素と協働して第１のＲＦＩＤタグ３４及び／又は第２のＲＦＩＤタグ３６によって実行することができる。
【００５０】
プロセス８０は、第１のＲＦＩＤタグ３４及び／又は第２のＲＦＩＤタグ３６のアンテナ４６が、それぞれの第１のリーダ１６又は第２のリーダ１８から電磁放射線を受信するステップで始まる（ブロック８２）。上記で検討したように、アンテナ４６が電磁放射線を受信した後に、アンテナ４６は、ＲＦＩＤタグ３４、３６のメモリ４８内に記憶された情報を有する後方散乱をそれぞれのリーダ１６、１８に返すことができる。１つの実施形態では、この情報は、ウェアラブルデバイス１４に特有の識別番号を含むことができ、従って、ユーザ（例えばウェアラブルデバイス１４を用いるユーザ）を識別する。１つの実施形態では、第１のリーダ１６によって発せられる電磁放射線は、比較的長い距離を伝播し、第２のリーダ１８によって発せられる電磁放射線は、比較的短い距離を伝播する。第１のＲＦＩＤタグ３４は、第１のリーダ１６と通信することができ、第２のＲＦＩＤタグ３６は、第２のリーダ１８と通信することができる。
【００５１】
ウェアラブルデバイス１４が、電磁放射線を受信すると、ウェアラブルデバイス１４は、電磁放射線から電力を取り出す（ブロック８４）。上記で検討したように、第１のＲＦＩＤタグ３４及び第２のＲＦＩＤタグ３６は各々、マイクロチップ５０に給電する集積回路５２を含むことができる。これに加えて、集積回路５２は、電源回路４２に給電し、電源回路４２は、マイクロコントローラ３８に給電し（ブロック８６）、更にウェアラブルデバイス１４の他の構成要素（例えばセンサ５６）に給電する。１つの実施形態では、電源回路４２は、受信コイルに電気結合されてウェアラブルデバイス１４が第１のリーダ１６及び／又は第２のリーダ１８から信号を受信した時に電力を蓄積するコンデンサ又はバッテリを含むことができる。
【００５２】
マイクロコントローラ３８が給電されると、マイクロコントローラ３８は次いで、信号（例えば制御信号）を出力し、ウェアラブルデバイス１４のセンサ５６に給電することができる（ブロック８６）。センサ５６が給電されると、センサは、ウェアラブルデバイス１４の状態を示す情報を測定又は決定することができる。例えば、センサ５６が加速度計である場合には、センサ５６は、ウェアラブルデバイス１４の運動を検出することができる。センサ５６は、ウェアラブルデバイス１４の検出された運動又は位置を示す情報をマイクロコントローラ３８に送信することができる。
【００５３】
次いで、マイクロコントローラ３８は、電力を利用して、ウェアラブルデバイス１４の位置又は移動を示すデータをＲＦＩＤタグ（例えば第１のＲＦＩＤタグ３４及び／又は第２のＲＦＩＤタグ３６）のメモリ４８に書き込む（ブロック８８）。１つの実施形態では、加速度計は、ある時間量にわたるウェアラブルデバイス１４の運動又はウェアラブルデバイス１４に印加される力を検出することができる。例えば、運動又は力は、上記で検討したように、ユーザがターゲット６４を叩くことに関連付けることができる。更に関連情報は、データとしてＲＦＩＤタグ３４及び／又は３６のメモリ４８に書き込まれる。ＲＦＩＤタグ３４及び／又は３６のメモリ４８に書き込まれたデータは、１又は２以上のリーダ（例えば第１のリーダ１６及び／又は第２のリーダ１８）に送信される（例えば後方散乱を通じて）。次いで、コンピューティングシステム２２は、この情報を処理し、データベース２８を更新すること、及び／又はセンサ５６ｂによって測定された情報に少なくとも部分的に基づいて得点を付与することができる。１つの実施形態では、データは、センサ５６が音波又は光波を感受することを示すことができる。従って、データは、ウェアラブルデバイス１４が、かかる波を感受することができる区域内に存在することを示すことになる。例えば、遊園地のアトラクションは、光を発する複数の発光体を含むことができる。従って、センサ５６が光を検出することを示すデータは、アトラクション内のユーザの位置を示す。
【００５４】
ウェアラブルデバイス１４の位置又は移動を示すデータが、ＲＦＩＤタグ３４、３６のメモリ４８に書き込まれると、ウェアラブルデバイス１４は、ＲＦＩＤタグからの識別情報及びデータをリーダ１６、１８に送信することができる（ブロック９０）。上記で検討したように、ＲＦＩＤタグ３４、３６のアンテナ４６は、後方散乱によってリーダ１６、１８と通信することができる。１つの実施形態では、ウェアラブルデバイス１４がリーダシステム１２と通信している（例えば、ＲＦＩＤタグ３４、３６がリーダ１６、１８から信号３０、３２を受信している）時に、ＲＦＩＤタグ３４、３６のアンテナ４６は、ウェアラブルデバイス１４の位置又は移動を示すデータを連続的に後方散乱することができる。従って、コンピューティングシステム２２は、例えばデータがある一定の閾値を上回った（例えば、ユーザが手を振ること又は手を突き出すこと等の意図的な運動を行ったことを加速度計からのデータが示す）時にユーザに得点を付与することができる。
【００５５】
上記で検討したように、ウェアラブルデバイス１４は、追加的又は代替的に、追跡デバイス４０として動作する１又は２以上のＬＥＤ５４を含むことができる。図６は、本発明の技法による、１又は２以上のＬＥＤ５４を含むウェアラブルデバイス１４を動作させるためのプロセス９２の１つの実施形態を例示するフロー線図である。本明細書で検討するステップは例証的なものに過ぎず、ある特定のステップを省略又は追加することができ、これらのステップを異なる順序で実施することができることを理解されたい。１つの実施形態では、プロセス９２の幾つかのステップは、ウェアラブルデバイス１４のマイクロコントローラ３８及び他の構成要素と協働して第１のＲＦＩＤタグ３４及び／又は第２のＲＦＩＤタグ３６によって実行することができる。これに加えて、プロセス９２の幾つかのステップは、コンピューティングシステム２２に通信可能に結合された検出器２０によって実施することができる。
【００５６】
プロセス９２は、第１のＲＦＩＤタグ３４及び／又は第２のＲＦＩＤタグ３６のアンテナ４６が、それぞれの第１のリーダ１６又は第２のリーダ１８から電磁放射線を受信するステップで始まる（ブロック８２）。上記で検討したように、アンテナ４６が、電磁放射線を受信した後に、ＲＦＩＤタグ３４、３６のメモリ４８内に記憶されている情報を有する後方散乱をそれぞれのリーダ１６、１８に返すことができる。１つの実施形態では、この情報は、ウェアラブルデバイス１４に特有の識別番号を含むことができ、従って、ユーザ（例えばウェアラブルデバイス１４を用いているユーザ）を識別する。１つの実施形態では、第１のリーダ１６によって発せられた電磁放射線は、比較的長い距離を伝播し、第２のリーダ１８によって発せられた電磁放射線は、比較的短い距離を伝播する。第１のＲＦＩＤタグ３４は、第１のリーダ１６と通信することができ、第２のＲＦＩＤタグ３６は、第２のリーダ１８と通信することができる。
【００５７】
ウェアラブルデバイス１４が電磁放射線を受信すると、ウェアラブルデバイス１４は、電磁放射線から電力を取り出す（ブロック８４）。上記で検討したように、第１のＲＦＩＤタグ３４及び第２のＲＦＩＤタグ３６は各々、マイクロチップ５０に給電する集積回路５２を含むことができる。これに加えて、集積回路５２は、電源回路４２に給電し、電源回路４２は、マイクロコントローラ３８及びウェアラブルデバイス１４の他の構成要素（例えばＬＥＤ５４等の追跡デバイス４０）に給電する。１つの実施形態では、電源回路３６は、受信コイルに電気結合されてウェアラブルデバイス１４が第１のリーダ１６及び／又は第２のリーダ１８から信号を受信した時に電力を蓄積するコンデンサ又はバッテリを含むことができる。
【００５８】
マイクロコントローラ３８が給電されると、マイクロコントローラ３８は次いで、信号（例えば制御信号）を出力し、追跡デバイス４０の１又は２以上のＬＥＤ５４に給電する（ブロック９４）。１つの実施形態では、制御信号は、ＬＥＤ５４のうちの１又は２以上のＬＥＤに印加される可変電圧であり、これによりＬＥＤが特定の割合で断続的に発光するようになる。
【００５９】
次いで、検出器２０は、１又は２以上のＬＥＤ５４によって発せられた光を検出する（ブロック９６）。例えば、検出器２０は、第２のリーダ１８とウェアラブルデバイス１４の第２のＲＦＩＤタグ３６との間の対話又は通信中にユーザによって着用されるウェアラブルデバイス１４が運動中である（例えばユーザが手を振っている又はターゲットを叩いている）ことを検出することができる。１つの実施形態では、検出器２０は、追跡デバイス４０のＬＥＤ５４の特性（例えば、色、明滅パターン）を監視することができる。ＬＥＤ５４の特性は、１つのウェアラブルデバイス１４又はウェアラブルデバイス１４のグループに関連付けることができる。従って、検出器２０が、光、運動を示す光、又は特性を有する光を検出した時に、コンピューティングシステム２２は、ウェアラブルデバイス１４と第２のリーダ１８との間の通信と、ＬＥＤ５４によって発せられた光の検出器２０における検出の両方によって示される成功した対話に基づいて、ユーザに得点を付与することができる。
【００６０】
従って、本開示は、対話型要素とのゲストの対話を追跡するためにリーダシステムとＲＦＩＤを利用するウェアラブルデバイスとを有する対話型システムに関する。より具体的には、リーダシステムは、電磁放射線を通じてウェアラブルデバイスの１又は２以上のタグと通信する（例えば信号を送受信する）１又は２以上のリーダを含む。リーダは、ある範囲（例えば通信範囲）内で電磁放射線を連続的に発し、ウェアラブルデバイスがこの範囲に入った時に、リーダはウェアラブルデバイスと通信する。ウェアラブルデバイスによって受信された電磁放射線は、追跡デバイスに電力を提供する。例えば、追跡デバイスは、検出器によって検出される光を発するＬＥＤを含むことができる。１つの実施形態では、コンピューティングシステムは、検出器に通信可能に結合され、ウェアラブルデバイスに特有のものとすることができるＬＥＤの特性（例えば、１つのウェアラブルデバイスのＬＥＤは赤色光を発することができ、別のウェアラブルデバイス１４のＬＥＤは青色光を発する）に基づいて、ユーザの識別情報を決定又は確認する。１つの実施形態では、コンピューティングシステムは、検出された光に少なくとも部分的に基づいて、ユーザに得点を付与するか、さもなければユーザのユーザプロファイルを更新することができる。１つの実施形態では、追跡デバイスは、ウェアラブルデバイスの位置又は移動等の状態を検出するように構成されたセンサとすることができる。この移動は、特定の対話型要素に対して期待又は要求することができる適切なジェスチャー（例えば、手を突き出す、ジャンプする、踊る、手を振る、又は他のジェスチャー）をユーザが実施していることを示すことができる。センサによって取得されたデータは、ウェアラブルデバイスの１又は２以上のＲＦＩＤタグのメモリ上に記憶し、次いで、コンピューティングシステムに通信可能に結合されたそれぞれのリーダに送信することができる（例えば後方散乱を介して）。１つの実施形態では、コンピューティングシステムは、センサによって検出された状態に少なくとも部分的に基づいて、ユーザに得点を付与すること、或いはユーザのユーザプロファイルを更新することができる。
【００６１】
本開示の特定の特徴のみを本明細書で例示し説明してきたが、当業者であれば、多くの修正及び変更が想起されるであろう。従って、本発明の真の精神の範囲内にあるこのような変更形態及び変更全ては、添付の請求項によって保護されるものとする点を理解されたい。図１〜図６に関して例示又は説明された特徴の何れもが何らかの好適な方式で組み合わせることができることを理解されたい。例えば、ウェアラブルデバイス１４は、ウェアラブルデバイスの追跡を容易にするためにセンサ５６及びＬＥＤ５４のあらゆる好適な組み合わせを含むことができる。
【００６２】
本明細書で提供され特許請求された技術は、本技術分野を明らかに改善する有形物及び実際的な性質の具体例に参照され適用され、このため、抽象的、無形又は純粋に理論上のものではない。更に、本明細書に添付されたあらゆる請求項は、「ある機能を実行する手段」又は「ある機能を実行するステップ」として指定された１又は２以上の要素を包含する場合には、このような要素は、米国特許法第１１２条第６項に基づいて解釈されることを意図している。しかしながら、他の何れかの様態で指定された要素を含む何れかの請求項については、このような要素は、米国特許法第１１２条（ｆ）に基づいて解釈されないものとする。
【図１】
2021510893.tif 000003
【図２】
2021510893.tif 000004
【図３】
2021510893.tif 000005
【図４】
2021510893.tif 000006
【図５】
2021510893.tif 000007
【図６】
2021510893.tif 000008
【国際調査報告】
2021510893.tif 000009
2021510893.tif 000010
2021510893.tif 000011